(57)【特許請求の範囲】
【請求項１】
自動車のヘッドライト（１）のための照明システム（１０）であって、
−照明方向（Ｌ）に光ビーム（１５）を放出するために適した発光ダイオード（１４）を装備するプリント回路基板（１２）と、
−前記光ビームを受信することを意図した受光面（１８）と前記光ビームを再電送するための放出表面（１９）とを有する、前記光ビーム（１５）を伝播及び伝送するように形成された光モジュール（１６）と、
前記発光ダイオードによって放出された前記光ビームを遮蔽するための少なくとも一のマスキング要素（２０）であって、
−少なくとも一の発光ダイオードから前記受光面に向かって、
−前記少なくとも一の発光ダイオードの前記照明方向に実質的に平行に、前記少なくとも一の発光ダイオードの周縁の少なくとも一部及び前記発光ダイオードと前記受光面とを隔てる距離の少なくとも一部の上に延びる、少なくとも一のマスキング要素（２０）と、を備え、
前記少なくとも一のマスキング要素（２０）は、テーパ付きクラウン環形状の溝を画定し、前記溝は、前記溝の開放端（２８）に向かうに連れて断面寸法が増加しており、
前記光モジュール（１６）は、フロント側外表面（１６０）、フロント側外表面（１６０）に平行なリア側外表面（１６１）を有するテーパ付きクラウン環の形状を有し、前記フロント側外表面（１６０）及び前記リア側外表面（１６１）はそれぞれ平面状で、前記フロント側外表面（１６０）に向かって収束する円錐台の側壁を形成する、それぞれ外側及び内側の側方外表面（１６２、１６３）により連結されている、
照明システム（１０）。
【請求項２】
前記少なくとも一のマスキング要素（２０）は、前記発光ダイオードのすべてによって放出された前記光ビームを遮蔽するための単一の要素である、請求項１に記載の照明システム（１０）。
【請求項３】
前記少なくとも一のマスキング要素（２０）が、ハウジング（３）に組み込まれて前記ハウジング内部に位置するか、又はハウジングを形成する、請求項１又は２に記載の照明システム（１０）。
【請求項４】
前記少なくとも一のマスキング要素（２０）が前記少なくとも一の発光ダイオードから、前記発光ダイオードと前記受光面とを隔てる前記距離の少なくとも５０％にわたって、及び／又はこの距離の最大９５％にわたって延びる、請求項１から３のいずれか一項に記載の照明システム（１０）。
【請求項５】
各発光ダイオード（１４）に関連付けられて、前記発光ダイオード（１４）からの前記光ビーム（１５）を前記受光面（１８）に向かってコリメートするように配置されたコリメーション装置（３６）を備える、請求項１から４のいずれか一項に記載の照明システム（１０）。
【請求項６】
前記少なくとも一のマスキング要素（２０）が、前記照明方向（Ｌ）に実質的に平行な少なくとも二の側壁（２２、２４）を含み、前記側壁は、外に現れて前記光モジュールの前記受光面（１８）に対向する開放端（２８）と、前記開放端（２８）から前記照明方向（Ｌ）において遠位側にある遠位端（３０）とを含む溝（２６）を画定し、前記プリント回路基板（１２）が、前記溝（２６）の内側又は外側の前記遠位端（３０）に位置する、請求項１から５のいずれか一項に記載の照明システム（１０）。
【請求項７】
前記溝（２６）の前記遠位端（３０）が、前記少なくとも一の発光ダイオードの前記照明方向（Ｌ）に実質的に直角の底壁（３２）によって閉鎖され、前記底壁（３２）は任意で穿孔されている、請求項６に記載の照明システム（１０）。
【請求項８】
前記光モジュールを、ハウジング（３）又は前記少なくとも一のマスキング要素（２０）上に固定するための、有利には光ビームを伝播及び伝送するために適した材料からなる少なくとも一の要素（７）を更に備える、請求項１から７のいずれか一項に記載の照明システム（１０）。
【請求項９】
請求項１から８のいずれか一項に記載の照明システム（１０）を装備する自動車用照明部材（１）。
【請求項１０】
請求項１から８のいずれか一項に記載の少なくとも一の照明システム（１０）を装備する自動車であって、前記少なくとも一の照明システムが、以下の部材、即ち：
−車両客室内部に位置するアンビエントライト、
−車両の信号灯
のうちの少なくとも一方を装備する、自動車。
【発明の詳細な説明】
【技術分野】
【０００１】
本発明は、光源からオフセットされた発光要素を含み、特に光源が隠されている、特に自動車の照明部材のための照明システムに関する。
【背景技術】
【０００２】
いくつかの照明システムは、プリント基板に電気的に接続された、一般にＬＥＤと呼ばれる発光ダイオードを装備するプリント回路基板を備えている。しばしば頭字語によりＰＣＢと呼ばれるプリント回路基板は、複雑な電子回路を製造するために一組の電子コンポーネントを電気的に連結することを可能にする支持体、通常はプレートである。このプレートは、平面状であり、絶縁材料により隔てられた一又は複数の銅の薄層のアセンブリから作製される。このようなプレートは剛性又は柔軟性とすることができる。照明装置において、ＬＥＤを装備するプリント回路基板、又はプレートは、光ビームの大部分がダイオードによってプリント回路基板に直角の方向に放出される良好な光の提供のために、所望の照明方向に対し、通常直角に配置される。しかしながら、自動車の分野において、特にヘッドライトの用途において、照明方向に直角というこのような位置決めは、ヘッドライトに大きな容積を強いており、設計上の制約となっている。
【０００３】
更には、光ガイド機能を保証するために、ＬＥＤに関連付けられた光モジュールを採用する照明システムが存在する。この場合、ＬＥＤは、光モジュールがＬＥＤによって放出された光を受けることができるように、光モジュールから短距離に配置される。光モジュールは、しばしば照明システムの別の要素、例えばマスク又はデフレクタに組み込まれる。このようなマスクは時に、ＬＥＤの照明方向に直角に、ＬＥＤから一定の距離を置いて延びる。したがって、このような照明システムは、互いに相対配置される多数の要素から構成され、それらのアセンブリは複雑となりうる。更に、このような照明システムは、その配置及び形態を制限しうる大きな容積を有することがあり、これは特に自動車の分野において望ましくない。更に、この種の照明システムでは、各ＬＥＤは分化しており、眼に見える。美的理由から、照明システムの外観スタイルを、その照明機能を保持しながら改善することは賢明である。
【０００４】
したがって、これらの欠点を少なくとも部分的に是正し、設計を変更することを可能にする照明システムが必要とされている。
【発明の概要】
【０００５】
このために、本発明の一の課題は、特に自動車のヘッドライトのための照明システムに関し、このシステムは：
−照明方向に光ビームを放出するために適した発光ダイオードを装備するプリント回路基板、及び
−前記光ビームを受信することを意図した受光面と前記光ビームを再伝送するための放出表面とを有する、前記光ビームを伝播及び伝送するように形成された光モジュール
を備え、
前記発光ダイオードによって放出された光ビームを遮蔽するための少なくとも一の要素であって、
−少なくとも一の発光ダイオードから前記受光面に向かって、
−前記少なくとも一の発光ダイオードの照明方向に実質的に平行に、前記少なくとも一の発光ダイオードの周縁の少なくとも一部及び前記発光ダイオードと前記受光面を隔てる距離の少なくとも一部の上に
延びる要素を備えることを特徴とする。
【０００６】
発光ダイオードは通常、複数の光線を複数の方向に放出する：したがって、通常はこれら光線からなる光ビームは通常円錐形状を呈する。本出願において、ＬＥＤの照明方向は、ＬＥＤによって放出される光ビームを画定する円錐の対称軸の方向と考える。
【０００７】
本発明による少なくとも一のマスキング要素の存在は、少なくとも一のマスキング要素が少なくとも一のＬＥＤによって放出された光ビームを少なくとも部分的に囲む又は包囲することで、ＬＥＤからの光ビームがＬＥＤと光モジュールの間において照明方向を横断する方向から見えることなく、ＬＥＤを光モジュールから一定の距離に配置することを可能にする。したがって、光モジュールは、照明システムの他の要素、特にマスキング要素とは別個の要素によって形成することができ、それでも継続的且つ均一にＬＥＤによって照射されうる。このようにＬＥＤと光モジュールの間に間隔を空けることにより、照明の美観を改善することが可能になる。実際、ＬＥＤが少なくとも一のマスキング要素によって遮蔽され、光モジュールのみが照明されて見えることで、シグナリング要素は、シグナリングモジュール中に目に見える支持又は保持要素がなく、ある意味浮かんで見えるため、「だまし絵」式の美的外観を有することができる。
【０００８】
マスキング要素は、光線を通過させない任意の材料から製造することができる。有利には、マスキング要素は、不透明（ｏｐａｑｕｅ）なポリマー材料、例えばポリプロピレンから製造することができる。
【０００９】
光モジュールは、その容積内で循環する少なくとも一の光ビーム、特に発光ダイオードによって放出される光ビームを伝播させて導くのに適した、好ましくは半透明（ｔｒａｎｓｌｕｃｅｎｔ）又は透明（ｔｒａｎｓｐａｒｅｎｔ）の、ポリマー材料又はガラスから形成することができる。使用される材料は、ガラス又はポリマータイプの、有色又は無色の材料といった、光線を導くのに適したいずれかの材料、例えばポリカーボネート又はポリ（メチルメタクリレート）（ＰＭＭＡ）とすることができる。各光モジュールは、このように簡単に製造することができ、その形状は照明システムを受容するように意図された部材に適合させることができる。
【００１０】
本発明による照明システムは、複数のマスキング要素を備えることができ、そのうち一のマスキング要素が一又は複数のＬＥＤに関連付けられる。この場合、ＬＥＤが照明システムの外側から気づかれる可能性をすべて回避するために、各マスキング要素が一又は複数のＬＥＤを完全に囲むか、又はこれらマスキング要素がＬＥＤの照明方向に実質的に直角な壁によって互いに連結されることが有利でありうる。しかしながら、この実施形態は好ましくない。
【００１１】
有利には、但し非限定的に、照明システムは、すべてのＬＥＤによって放出される光ビームを遮蔽するための単一の要素を備えることができ、これにより照明システムの製造及び組立てを単純化することが可能になりうる。
この場合、単一のマスキング要素は：
−例えば同じ平面内に配置されている、すべてのＬＥＤから、前記受光面に向かって、
−前記ＬＥＤの照明方向に実質的に平行に、ＬＥＤの組の周縁の少なくとも一部及びＬＥＤの組と光モジュールの受光面とを隔てる距離の少なくとも一部の上に
延びる。
【００１２】
この場合、ＬＥＤが照明システムの外側から気づかれる可能性をすべて回避するために、単一のマスキング要素がＬＥＤの組を完全に囲むか、又はこの単一のマスキング要素がＬＥＤの照明方向に実質的に直角な少なくとも一の壁を含むことが有利でありうる。
【００１３】
更に単純な実施形態の場合、プリント回路基板を、ＬＥＤの放射方向が照明方向Ｌに平行又は実質的に平行となるように配置することが有利でありうる。
【００１４】
更に単純な実施形態の場合、直線又は曲線、例えば輪状線に沿った同じ平面内にＬＥＤを配置することも有利であろう。この場合、プリント回路基板は、多角形又は楕円形状、例えば円形又は場合によっては環状の平坦なプレートとすることができる。
【００１５】
この場合、光モジュールは、断面（ＬＥＤの照明方向を横断する）形状がＬＥＤによって形成されるラインの形状に類似の形状を有することができる。例えば、ＬＥＤが円形に配置される場合、光モジュールは円筒形状又はテーパ付きクラウン環の形状に、又は円錐又は半球形状にすることができる。
【００１６】
有利には、この場合、単一のマスキング要素は光モジュールの形状に類似の形状、例えば円筒形状又はテーパ付きクラウン環形状、又はテーパ形状を有することもできる。
【００１７】
有利には、但し非限定的に、光モジュールはＬＥＤの照明方向に直角に延びることができる、及び／又は光モジュールの受光面はＬＥＤの照明方向に実質的に直角の面内に延びる。更に、光モジュールを、一又は複数のマスキング要素と、ＬＥＤを装備するプリント回路基板も支持するハウジングによって支持することができる。
【００１８】
部品の数を更に制限するために、前記少なくとも一のマスキング要素は、ハウジングに取り込むことができ、特にハウジング内部に位置させるか、又はハウジングを形成することができる。このハウジングは、プリント回路基板及び光モジュール、及び場合によっては照明システムの他の要素を支持する機能を有することができる。
【００１９】
少なくとも一のマスキング要素は光モジュールまで延びることができる。しかしながら、この実施形態は、美的観点から好ましくなく、光モジュールの受光面がマスキング要素に接しないことが好ましい。一例として、５ｍｍから２ｃｍの距離だけ少なくとも一のマスキング要素を受光面から隔てることができる。
【００２０】
有利には、但し非限定的に、少なくとも一のマスキング要素は、前記少なくとも一の発光ダイオードから、この発光ダイオードと前記受光面とを隔てる距離の少なくとも５０％、場合によっては少なくとも６０％にわたって延びることができる。有利には、少なくとも一のマスキング要素は、ＬＥＤとプリント回路基板を隠すために十分な距離にわたって延びることができる。
【００２１】
有利には、但し非限定的に、少なくとも一のマスキング要素は、前記少なくとも一の発光ダイオードから、この発光ダイオードと前記受光面とを隔てる距離の最大で９５％、場合によっては最大で７５％にわたって延びることができる。少なくとも一のマスキング要素と受光面の間の距離が延びることにより、照明システムの美的効果を改善することが可能になる。
【００２２】
有利には、但し非限定的に、照明システムは、各発光ダイオードに関連付けられ、光ビームを前記受光面に向かってコリメートするために配置されたコリメーション装置を備えることができる。これは、光ビームをその受光面上に収束させることにより、光モジュールの照射を改善することを可能にする。
【００２３】
コリメーション装置は、発光ダイオードにより放出される光放射の７０から１００％、好ましくは放射の８０から１００％、場合によっては放射の９０から１００％が、前記受光面上に収束するように配置することができる。
【００２４】
このようなコリメーション装置は、好ましくはＬＥＤのすぐ近くに位置させる。
【００２５】
通常、光線コリメーション装置は、フレネルレンズ、ジオプター、プリズム又はファセットタイプの一又は複数の従来式光学要素を用いることができる。
【００２６】
任意選択的に、受光面の寸法は、発光ダイオードによって放出される光照射のすべてを（恐らくはコリメーション装置を通過した後で）捉えるように形成することができる。
【００２７】
有利には、但し非限定的に、少なくとも一のマスキング要素は、前記照明方向に実質的に平行な少なくとも二の側壁を含むことができ、これら側壁の間には、外に現れて前記光モジュールの受光面に対向する開放端と、前記開放端から前記照明方向において遠位側の遠位端とを含む溝が画定され、前記プリント回路基板が、溝の内側又は外側の前記遠位端に位置する。
【００２８】
このような構成により、少なくとも一のマスキング要素を、特にそれがハウジングに組み込まれる場合、簡単に製造することが可能になる。実際には、側壁の一つはハウジングの縁の延長として製造することができる。
【００２９】
このように溝は、一方が外側側壁と、他方が内壁側壁と呼ばれる二の側壁によって画定される。この場合、外側側壁は、ハウジングに、ハウジングの縁の延長部として固定することができ、内側側壁は、照明方向に実質的に直角に固定して内側側壁とハウジングの間に形成される空きスペースを閉鎖することができるか、例えば内側側壁が円筒又は円錐台を形成する場合に、内側側壁の一縁から他方の縁までを形成することができる。このような構成により、特にプリント回路基板が溝の外側に位置する場合に、ＬＥＤを更にうまく隠すことが可能となる。
【００３０】
有利には、但し非限定的に、溝の遠位端は、前記少なくとも一の発光ダイオードの照明方向に実質的に直角な底壁により閉鎖することができる。この底壁は、この場合、前記少なくとも二の側壁を連結し、プリント回路基板を固定するための支持体及び／又は固定化として機能することができる。プリント回路基板が溝の外側に位置する場合、底壁は、ＬＥＤによって放出された光ビームの通路のために穿孔される。
【００３１】
コリメーション装置は、プリント回路基板又はマスキング要素上、例えばマスキング要素の底壁上に、直接固定することができる。一変形例として、コリメーション装置は、各ＬＥＤに対向する溝の前記遠位端を閉鎖することもできる。
【００３２】
本発明は、少なくとも一のマスキング要素の特定の形態によって限定されるものではない。特定の実施形態によれば、単一のマスキング要素は単一の溝を画定することができ、その形状（照明方向を横切る断面）はＬＥＤの配置に類似する。
【００３３】
有利には、ＬＥＤが同じ面内において輪状線に沿って配置される場合、単一のマスキング要素は、クラウン環形状の単一の溝を画定してこの溝の開口部に対向することができ、光モジュールは中空の円筒形状又は中空の円錐台形状を有することができ、溝の軸と光モジュールの軸は一致する。
【００３４】
有利には、但し非限定的に、照明システムは更に、ハウジング又は少なくとも一のマスキング要素上に光モジュールを固定するための少なくとも一の要素を保つことができる。特に、少なくとも一の固定要素は、光モジュールをマスキング要素から一定の距離に維持することを可能にすることができる。
【００３５】
一又は複数の固定要素は、異なる形状及び大きさの、例えば長方形のロッド又はストリップとすることができる。好ましくは、一又は複数の固定要素は、光モジュールの材料と同一材料、特に光ビームを伝播及び伝送するために適した材料から作製され、これにより、このような要素は光の伝播に殆ど又は全く混乱を生じさせないため、光モジュールの「浮かんで見える」効果を増大させることができる。
【００３６】
保持機能を保証できる限り、固定要素の数は限定されない。通常、少なくとも二の固定要素が使用されるが、単一の固定要素も可能である。
【００３７】
一又は複数の固定要素は、前記要素の端部ゾーンにより光モジュールの外表面に固定することができ、反対の端部ゾーンは、ハウジング又は少なくとも一のマスキング要素に固定することができる。
【００３８】
本発明は、本発明による照明システムを装備する自動車の照明部材にも関する。
【００３９】
この照明部材は特に、車両のシグナリングのためのヘッドライト（又は光学ブロック）及び車両客室内部に位置させることを意図したアンビエントライトから選択されうる。好ましくは、部材はヘッドライトである。
【００４０】
照明部材は通常、光ビームの出力のために半透明又は透明な一面を有するハウジングを備える。本発明による照明システムは、この場合、ハウジングの内部に配置され、ＬＥＤの照明方向は、ハウジングの半透明又は透明な面から出てゆく。
【００４１】
本発明の照明システムの少なくとも一のマスキング要素は、照明部材のハウジングに組み込むことができる。例えば、少なくとも一のマスキング要素は、ハウジングと単一ピースとして製造することができる。
【００４２】
本発明の別の課題は、本発明による少なくとも一の照明システムを装備する自動車に関する。
【００４３】
特に、前記照明システムは、以下の部材のうちの少なくとも一を備えることができる：
−車両客室内部に位置するアンビエントライト、
−車両の信号灯。
【００４４】
フロント側又はリア側のこの信号灯は特に、日中走行用ライト（車両が発進すると自動的に点灯する、頭字語「ＤＲＬ」によっても知られるライト）、サイドライト、バックライト、フォグランプ、点滅灯、ストップライト、又は他のいずれかの信号灯から選択されうる。
【図面の簡単な説明】
【００４５】
ここで、本発明を、非限定的な添付図面を参照して説明する。
【図１】本発明による照明システムを装備する車両用ヘッドライトの斜視図である。
【図２】図１の照明システムの部分的断面の斜視図である。
【図３】図１の照明システムの断面の部分概略図である。
【発明を実施するための形態】
【００４６】
「実質的に平行」とは、特定の方向と、±２０°以下又は±１０°以下の角度を形成する方向を意味する。
【実施例】
【００４７】
図１は、光ビームの出力のために半透明又は透明である一面５を有するハウジング３を備えた、車両のシグナリングのためのヘッドライト１を示している。この面５は、提示する実施例のように、任意の平面形状又は更に複雑な形状をとることができる。
【００４８】
このヘッドライト１は、図２及び３に詳細に示す、本発明による照明システム１０を装備する。
【００４９】
したがって、照明システム１０は：
−照明方向（Ｌ）に光ビームを放出するために適した発光ダイオード１４を装備するプリント回路基板１２（より明瞭に示すために、図３には単一のダイオードを示す）、及び
−前記光ビームを受信することを意図した受光面１８と前記光ビームを再伝送するための放出表面１９とを有する、前記光ビームを伝播及び伝送するように形成された光モジュール１６
を備える。
【００５０】
図示の実施例では、すべてのＬＥＤ１４の光ビームの照明方向は、同じ照明方向Ｌに実質的に平行である。これらＬＥＤ１４は、照明方向Ｌに直角な同じ面内において輪状線上に配置される。これらＬＥＤは、それ自体が環状形状を有するプリント回路基板１２によって支持及び電力供給される。
【００５１】
本発明によれば、照明システム１０は、ＬＥＤ１４によって放出される光ビームを遮蔽するための要素２０を備える。このマスキング要素２０は：
−ＬＥＤ１４から受光面１８に向かって、
−ＬＥＤ１４の照明方向Ｌに実質的に平行に、すべてのＬＥＤ１４の周縁の少なくとも一部及びＬＥＤの組と受光面１８とを隔てる距離の少なくとも一部の上に
延びる。
【００５２】
マスキング要素２０は、光線を通さない材料、例えば不透明なポリマー材料からなる。しかしながら、図１では、このマスキング要素は、プリント回路基板１２とＬＥＤ１４を区別することを可能にするために透明に表されている。
【００５３】
図示のマスキング要素２０は、前記照明方向Ｌに実質的に平行な二の側壁２２、２４を含んでいる。これら側壁２２、２４は、前記照明方向Ｌに沿って開放端２８とは反対側に、外に現れて前記光モジュールの受光面１８に対向する開放端２８を含む溝２６を画定する。
【００５４】
プリント回路基板１２は、この遠位端３０に位置している。
【００５５】
提示される実施例では、図２に示すように、溝２６は、その開放端２８に向かって広がるテーパ付きクラウン環形状を有する。溝２６はまた、開放端２８からみて遠位にある遠位端３０の側で底壁３２によって閉鎖される。プリント回路基板１２は、溝２６の外側の、この底壁３２の近くに配置され、底壁３２に設けられた貫通オリフィス３４は、ＬＥＤ１４によって放出された光ビームの通過を可能にする。
【００５６】
この実施例では、底壁３２はＬＥＤ１４と同数の貫通オリフィス３４を有し、各オリフィス３４は一のＬＥＤ１４に対向して位置する。
【００５７】
しかしながら、図示しない変形例では、この底壁３２はオリフィス３４を持たな中実とすることができ、この場合プリント回路基板１２は溝２６内部に配置される。場合によっては、プリント回路基板１２は溝２６の底壁を形成してもよい。
【００５８】
最終的に、マスキング要素２０は、図２に具体的に示すように、ハウジング３の一部を形成する。この図２では、マスキング要素２０が、照明方向Ｌに実質的に平行な方向に延びるハウジングの壁３ａと単一のピースにより製造されていることが分かるであろう。ハウジングの壁３ａは、環状ボード１２と同心の、テーパ付き又は円筒形状とすることもできる。マスキング要素２０は、ハウジング内部に、このハウジングの壁３ａの内面３ｂに対向するように位置する。具体的には、その外側側壁２４は、溝２６の開放端２８の側の壁３ａと連結する。このようにして、ＬＥＤ１４全体が隠される。更に、この実施例では、照明方向Ｌに実質的に直角のマスキング壁３５が、溝２６の開放端２８の側の内側側壁２２からハウジングの内表面全体の上に延びる。しかしながら、このマスキング壁３５は、別の照明要素（図示しない）によって置き換えてもよい。
【００５９】
図１及び２に示される実施例では、光モジュール１６は、フロント側外表面１６０、フロント側外表面１６０に平行なリア側外表面１６１を有するテーパ付きクラウン環の形状を有し、これら二のフロント側及びリア側外表面１６０及び１６１はそれぞれ平面状で、フロント側外表面１６０に向かって収束する円錐台の側壁を形成する、それぞれ外側及び内側の側方外表面１６２、１６３により連結されている。この光モジュール１６は、例えば透明なＰＭＭＡ製である。図示の実施例では、前方１６０と側方１６２及び１６３の外表面は、光モジュール１６の放出表面１９を形成し、後方の外表面１６１は光モジュール１６の受光面１８を形成する。光モジュール１６の受光面１８は、マスキング要素２０の開放端２８から一定の距離をおいて位置し、照明方向Ｌに直角に伸びている。
【００６０】
このように、光モジュール１６、マスキング要素２０及びプリント回路基板１２はすべて（照明方向に垂直な）円形形状の断面を有し、それらの軸は同心である。しかしながら、これら要素は、やはり同心に構成される回転対称な他の形状を有してもよい。
【００６１】
光モジュール１６は、図１に示す、直径方向に向かい合う二の固定要素７により、ケーシング３に固定することができる。各固定要素７は、光モジュール１６と同じ材料（ここでは、ＰＭＭＡ）からなる長方形のストリップから形成され、その一端７ａは光モジュール１６に固定され、他方の端部７ｂは、ハウジング３の壁３ａの外側でハウジング３に固定される。これら固定要素７は、光モジュール１６がマスキング要素２０及びハウジング３から一定の距離に保持されることを保証する。
【００６２】
図３は、図２の照明システム１０を模式的に示し、ＬＥＤ１４によって放出された光線がとる方向を具体的に示す。このようにして、ＬＥＤ１４は、受光面１８から光モジュール１６に入る光ビーム１５を放出する。光モジュール１６によって伝送される光ビーム１７は、放出表面１９を通って光モジュールを出る。
【００６３】
ＬＥＤ１４によって放出される光放射の損失を回避するために、コリメーション装置３６はＬＥＤ１４の正面に配置され、この装置は、光ビーム１５の円錐がマスキング要素２０に接しないように配置される。更に、すべての光ビーム１５を捉えるために、受光面１８が溝２６の開放端２８の断面より大きいことに注意されたい。
【００６４】
図を参照して記載した照明部材１は、自動車のヘッドライトである。
【００６５】
しかしながら、本発明は、この照明部材の種類及び形状によっていかなる意味でも限定されず、車両又は建造物のための、内部又は外部照明部材とすることもできる。
【００６６】
本発明による照明システムは、実際に、特に容積及び重量の低減と外観の改善とに焦点を当てた取り組みがなされている多数の部材に使用できるという利点を提供する。
【図１】
0006561053.tif 000002
【図２】
0006561053.tif 000003
【図３】
0006561053.tif 000004